Podtech/llm-jp-corpus-v4-ja_patent huggingface dataset:
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
光を出射する光源と、
配向膜を夫々有する一対の第１及び第２基板間に、前記第１基板の法線方向から見て前記第１基板の一辺に直交する方向に沿って前記配向膜によってプレチルトを付与された液晶分子からなる液晶が挟持されてなり、前記光を変調する液晶パネルと、
前記液晶パネルを挟んで配置された一対の偏光板と、
負の屈折率異方性を有すると共に厚さ方向に沿った第１光軸を有し、該第１光軸が前記プレチルトを付与された液晶分子の長軸に沿うように前記液晶パネルに対して傾いた状態で、前記一対の偏光板の間に配置された第１位相差板と、
正又は負の屈折率異方性を有すると共に面方向に沿った第２光軸を有し、前記一対の偏光板の間に配置された第２位相差板と
を備えたことを特徴とするプロジェクタ。
【請求項２】
前記第１位相差板を、前記第１光軸が前記液晶分子の長軸に沿うように、調整することが可能な第１光学調整手段を備えたことを特徴とする請求項１に記載のプロジェクタ。
【請求項３】
前記第１光学調整手段は、前記第１位相差板を、前記一辺に沿った軸を中心として回転させることが可能に構成されることを特徴とする請求項２に記載のプロジェクタ。
【請求項４】
前記液晶は、垂直配向型の液晶であることを特徴とする請求項１から３のいずれか一項に記載のプロジェクタ。
【請求項５】
前記一対の偏光板の各々の透過軸は、互いに略直交すると共に、前記第１基板の法線方向から見て、前記プレチルトを付与された液晶分子の長軸と略４５度の角度をなすことを特徴とする請求項４に記載のプロジェクタ。
【請求項６】
前記光源から出射された光を、前記一対の偏光板のうち前記液晶パネルに対して前記光が入射される側に配置された入射側の偏光板の透過軸に沿った偏光方向を有する直線偏光に変換して、前記液晶パネルに出射する偏光素子を備えることを特徴とする請求項１から５のいずれか一項に記載のプロジェクタ。
【請求項７】
前記第２位相差板を前記第１基板の法線方向を中心とする軸回りに回転させることが可能な第２光学調整手段と
を備えたことを特徴とする請求項１から６のいずれか一項に記載のプロジェクタ。
【請求項８】
配向膜を夫々有する一対の第１及び第２基板間に、前記第１基板の法線方向から見て、前記第１基板の一辺に直交する方向に沿って、前記配向膜によってプレチルトを付与された液晶分子からなる液晶が挟持されてなる液晶パネルと、
前記液晶パネルを挟んで配置された一対の偏光板と、
負の屈折率異方性を有すると共に光軸として厚さ方向に沿った第１光軸を有し、該第１光軸が前記プレチルトを付与された液晶分子の長軸に沿うように前記液晶パネルに対して傾いた状態で、前記一対の偏光板の間に配置された第１位相差板と
を備えたことを特徴とする液晶装置。
【請求項９】
前記液晶は、垂直配向型の液晶であることを特徴とする請求項８に記載の液晶装置。
【請求項１０】
前記一対の偏光板の各々の透過軸は、互いに略直交すると共に、前記第１基板の法線方向から見て、前記プレチルトを付与された液晶分子の長軸と略４５度の角度をなすことを特徴とする請求項９に記載の液晶装置。
【請求項１１】
正又は負の屈折率異方性を有すると共に光軸として面方向に沿った第２光軸を有する第２位相差板を備えたことを特徴とする請求項８から１０のいずれか一項に記載の液晶装置。
【手続補正２】
【補正対象書類名】明細書
【補正対象項目名】０００６
【補正方法】変更
【補正の内容】
【０００６】
本発明のプロジェクタは上記課題を解決するために、光を出射する光源と、配向膜を夫々有する一対の第１及び第２基板間に、前記第１基板の法線方向から見て前記第１基板の一辺に直交する方向に沿って前記配向膜によってプレチルトを付与された液晶分子からなる液晶が挟持されてなり、前記光を変調する液晶パネルと、前記液晶パネルを挟んで配置された一対の偏光板と、負の屈折率異方性を有すると共に厚さ方向に沿った第１光軸を有し、該第１光軸が前記プレチルトを付与された液晶分子の長軸に沿うように前記液晶パネルに対して傾いた状態で、前記一対の偏光板の間に配置された第１位相差板と、正又は負の屈折率異方性を有すると共に面方向に沿った第２光軸を有し、前記一対の偏光板の間に配置された第２位相差板とを備える。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
５０重量％粒子径（Ｄ５０）が２．０〜２０．０μｍであるアルミニウム粉末（Ａ）、
アルカリ可溶性樹脂（Ｃ）、
多官能（メタ）アクリレート（Ｄ）、および
光重合開始剤（Ｅ）を含有することを特徴とする感光性ペースト組成物。
【請求項２】
前記アルミニウム粉末（Ａ）の含有量が、感光性ペースト組成物全体に対して、１５〜７０重量％であることを特徴とする請求項１に記載の感光性ペースト組成物。
【請求項３】
前記アルカリ可溶性樹脂（Ｃ）が、その全構成単位中、カルボキシル基含有モノマー類、水酸基含有モノマー類およびフェノール性水酸基含有モノマー類から選択される少なくとも１種のアルカリ可溶性官能基含有モノマー（Ｃ１）由来の構成単位を５〜９０重量％含有する樹脂であることを特徴とする請求項１または２に記載の感光性ペースト組成物。
【請求項４】
前記アルカリ可溶性樹脂（Ｃ）の酸価が、２０〜２００ｍｇＫＯＨ／ｇであることを特徴とする請求項１〜３の何れか一項に記載の感光性ペースト組成物。
【請求項５】
さらに５０重量％粒子径（Ｄ５０）が０．２〜４．０μｍであるガラス粉末（Ｂ）を含有することを特徴とする請求項１〜４の何れか一項に記載の感光性ペースト組成物。
【請求項６】
前記ガラス粉末（Ｂ）として、軟化点が３５０〜７００℃であるガラス粉末を、感光性ペースト組成物全体に対して０．５〜１５重量％の割合で含有することを特徴とする請求項５に記載の感光性ペースト組成物。
【請求項７】
請求項１〜６の何れか一項に記載の感光性ペースト組成物からなる感光性ペースト層を基板上に形成する工程、
該ペースト層を露光処理してパターンの潜像を形成する工程、
該ペースト層を現像処理してパターンを形成する工程、および
該パターンを焼成処理する工程
をこの順で含むことを特徴とするパターン形成方法。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
第１言語の文章を第２言語の文章に翻訳する翻訳手段を備えた電子機器であって、
前記第１言語の単語を少なくとも丁寧度を含む感情を表す感情種類に対応付けて記憶し、さらに、前記第１言語の単語に対応する複数の前記第２言語の単語を前記感情種類の度合いに対応付けて記憶する記憶手段と、
前記翻訳手段により翻訳された第２言語の文章を表示し、さらに、該第２言語の文章中に、前記記憶手段に記憶された第２言語の単語と一致する単語がある場合、該第２言語の単語を、該第２言語の単語と同一の感情種類で異なる度合いの他の第２言語の単語に変更可能に表示する表示手段と、
前記表示手段により表示された前記第２言語の単語を、前記他の第２言語の単語に変更する指示を行う指示入力手段と、
前記指示入力手段による指示に基づき、前記一致した第２言語の単語を前記他の第２言語の単語に置換する置換手段とを備え、
前記表示手段は、前記置換手段により置換された第２言語の単語を有する第２言語の文章を表示する、電子機器。
【請求項２】
前記表示手段は、前記感情種類を表示し、さらに前記感情種類の度合いを変更可能なように表示し、
前記指示入力手段は、前記度合いを指示する、請求項１に記載の電子機器。
【請求項３】
前記感情種類の度合いは、感情の強さに応じた数値を備え、
前記表示手段は、前記変更可能な複数の第２言語の単語が、前記感情種類の度合いが備えるいずれの数値に存在するかが区別可能にスライドバーに表示し、
前記指示入力手段は、他の第２言語の単語が存在する数値まで前記スライドバー上のアイコンを動かし、
前記置換手段は、前記一致した第２言語の単語を、前記指示入力手段により動かされたアイコン上の数値を有する第２言語の単語に置換する、請求項１または２に記載の電子機器。
【請求項４】
前記表示手段は、前記指示入力手段により動かされたスライドバー上のアイコン表示を、該動かされたスライドバー上の数値以外の前記他の第２言語の単語が存在する数値上のアイコン表示とは異なる形態で表示する、請求項３に記載の電子機器。
【請求項５】
第１言語の文章を第２言語の文章に翻訳する電子機器を制御するための制御プログラムであって、
前記電子機器は、ディスプレイと、前記第１言語の単語を少なくとも丁寧度を含む感情を表す感情種類に対応付けて記憶し、さらに、前記第１言語の単語に対応する複数の前記第２言語の単語を前記感情種類の度合いに対応付けて記憶するメモリとを備え、
前記制御プログラムは、
前記翻訳された第２言語の文章を前記ディスプレイに表示させるステップと、
前記第２言語の文章中に、前記メモリに記憶された第２言語の単語と一致する単語がある場合、該第２言語の単語を、該第２言語の単語と同一の感情種類で異なる度合いの他の第２言語の単語に変更可能に前記ディスプレイに表示させるステップと、
前記ディスプレイに表示された前記第２言語の単語を、前記他の第２言語の単語に変更する指示を受け付けるステップと、
前記指示に基づき、前記一致した第２言語の単語を前記他の第２言語の単語に置換するステップと、
前記置換された第２言語の単語を有する第２言語の文章を前記ディスプレイに表示させるステップとを、前記電子機器に実行させる、制御プログラム。
【請求項６】
第１言語の文章を第２言語の文章に翻訳する電子機器における制御方法であって、
前記電子機器は、プロセッサと、ディスプレイと、前記第１言語の単語を少なくとも丁寧度を含む感情を表す感情種類に対応付けて記憶し、さらに、前記第１言語の単語に対応する複数の前記第２言語の単語を前記感情種類の度合いに対応付けて記憶するメモリとを備え、
前記制御方法は、
前記プロセッサが、前記翻訳した第２言語の文章を前記ディスプレイに表示させるステップと、
前記第２言語の文章中に、前記メモリに記憶された第２言語の単語と一致する単語がある場合、前記プロセッサが、該第２言語の単語を、該第２言語の単語と同一の感情種類で異なる度合いの他の第２言語の単語に変更可能に前記ディスプレイに表示させるステップと、
前記プロセッサが、前記ディスプレイに表示された前記第２言語の単語を、前記他の第２言語の単語に変更する指示を受け付けるステップと、
前記プロセッサが、前記指示に基づき、前記一致した第２言語の単語を前記他の第２言語の単語に置換するステップと、
前記プロセッサが、前記置換された第２言語の単語を有する第２言語の文章を前記ディスプレイに表示させるステップとを備える、制御方法。
【手続補正書】
【提出日】平成22年3月9日(2010.3.9)
【手続補正１】
【補正対象書類名】特許請求の範囲
【補正対象項目名】請求項３
【補正方法】変更
【補正の内容】
【請求項３】
スカート部が、第一弁体を取り巻く第一スカート部と、第二弁体を取り巻くと共にその裾部を第一スカート部の裾部よりも上方に位置させた第二スカート部とによって構成されていることを特徴とする請求項２に記載の弁装置。
【手続補正２】
【補正対象書類名】明細書
【補正対象項目名】０００７
【補正方法】変更
【補正の内容】
【０００７】
この場合さらに、スカート部を、第一弁体を取り巻く第一スカート部と、第二弁体を取り巻くと共にその裾部を第一スカート部の裾部よりも上方に位置させた第二スカート部とによって構成させておけば、第一弁体を上昇させるレベルより高いレベルに燃料の液面が達したときに、第二スカート部に燃料を吸い上げるように取り込み、このように取り込まれる燃料によって第二弁体により第二開口を直ちに閉鎖させて、二回目の満タン、つまり、給油のリミットを給油ガン側のセンサにタイムラグ少なく正確に検知させることができる。
【手続補正３】
【補正対象書類名】明細書
【補正対象項目名】００２９
【補正方法】変更
【補正の内容】
【００２９】
この図５および図６に示される例にあってはまた、スカート部３を、第一弁体２’を取り巻く第一スカート部３’と、第二弁体２”を取り巻くと共にその裾部３０を第一スカート部３’の裾部３０よりも上方に位置させた第二スカート部３”とによって構成させている。
【手続補正４】
【補正対象書類名】明細書
【補正対象項目名】００３０
【補正方法】変更
【補正の内容】
【００３０】
これにより、この例にあっては、第一弁体２’を上昇させるレベルより高いレベルに燃料の液面Ｗが達したときに、第二スカート部３”に燃料を吸い上げるように取り込み、このように取り込まれる燃料によって第二弁体２”により第二開口１０”を直ちに閉鎖させて、二回目の満タン、つまり、給油のリミットを給油ガン側のセンサにタイムラグ少なく正確に検知させることができる。
【手続補正書】
【提出日】平成22年8月27日(2010.8.27)
【手続補正１】
【補正対象書類名】明細書
【補正対象項目名】００２６
【補正方法】変更
【補正の内容】
【００２６】
スライドテーブル２上に、水平な台座７がガイドレール８に沿って、図１の左右方向（以下Ｘ方向という）に往復移動するように配置されている。台座７に固定されたステー１０に、モーター９によって回転するスクリューネジ１０ａが貫通螺合されており、スクリューネジ１０ａが正、逆転することにより、台座７がガイドレール８に沿って、Ｘ方向に往復移動する。
【手続補正２】
【補正対象書類名】明細書
【補正対象項目名】００２８
【補正方法】変更
【補正の内容】
【００２８】
回転テーブル１２の上方には、レーザ装置１３と光学ホルダ１４とが取付フレーム１５に保持されている。
レーザ装置１３は、脆性材料基板の加工用として一般的なものを使用すればよく、具体的にはエキシマレーザ、ＹＡＧレーザ、炭酸ガスレーザ又は一酸化炭素レーザなどが使用される。ガラス基板Ａの加工には、ガラス材料のエネルギー吸収効率が大きい波長の光を発振する炭酸ガスレーザを使用することが好ましい。
【手続補正３】
【補正対象書類名】明細書
【補正対象項目名】００３１
【補正方法】変更
【補正の内容】
【００３１】
取付フレーム１５には、光学ホルダ１４に近接して、第一冷却ノズル１６ａおよび第二冷却ノズル１６ｂが設けられている。これらの冷却ノズル１６ａ，１６ｂからは冷媒が噴射される。冷媒には、冷却水、圧縮空気、Ｈｅガス、炭酸ガス等を用いることができるが、本実施形態では冷却水と圧縮空気の混合流体を噴射するようにしている。
第一冷却ノズル１６ａから噴射される冷却媒体は、光学ホルダ１４からガラス基板Ａに照射されるビームスポットＢＳの長手方向の後端部に向けられ、ガラス基板Ａの表面に第一冷却スポットＣＳ１を形成する。第一冷却ノズル１６ａから噴射される冷却媒体は、ミスト状になるようにして、ノズルから噴射されるようにしてある。
第二冷却ノズル１６ｂから噴射される冷却媒体は、第一冷却スポットＣＳ１の後端部、あるいは第一冷却スポットと一部が重なる位置、あるいは第一冷却スポットＣＳ１の後端から少し離れた位置に向けられ、ガラス基板Ａの表面に第二冷却スポットＣＳ２を形成する。第二冷却ノズル１６ｂから噴射される冷却媒体は、ノズルから広く拡散するように噴射され、水分が気化するようにして効率的よく冷却できるようにしてある。
【手続補正４】
【補正対象書類名】明細書
【補正対象項目名】００３９
【補正方法】変更
【補正の内容】
【００３９】
以上の動作により、ガラス基板Ａの分断予定ラインＰに沿って初期亀裂（ＴＲ）を起点として、クラックが形成されることになるが、このときにガラス基板Ａに生成されるクラックが、第一冷却スポットＣＳ１および第二冷却スポットＣＳ２による冷却で基板内部に浸透する状態について説明する。
【手続補正５】
【補正対象書類名】図面
【補正対象項目名】図１
【補正方法】変更
【補正の内容】
【図１】
2009083119.tif 000001
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
インクを吐出可能な複数のノズルが配列されたノズル列を有する記録ヘッドを記録媒体に対して順方向と逆方向とに走査させて画像を記録するインクジェット記録装置において、
前記順方向の走査において、前記ノズル列の一端から奇数番目のノズルと偶数番目のノズルの内の一方からインクを吐出させ、かつ前記逆方向の走査において、前記奇数番目のノズルと前記偶数番目のノズルの内の他方からインクを吐出させる制御部を備える
ことを特徴とするインクジェット記録装置。
【請求項２】
前記奇数番目のノズルおよび前記偶数番目のノズルのインクの吐出方向は、前記順方向または前記逆方向において異なり、
前記奇数番目のノズルおよび偶数番目のノズルから吐出されるインクは、前記記録媒体上に主ドットを形成する主滴と、前記記録媒体上にサテライトを形成する小滴と、を含む
ことを特徴とする請求項１に記載のインクジェット記録装置。
【請求項３】
前記奇数番目のノズルによって形成される前記主ドットと前記サテライトとの位置関係は、前記順方向の走査時と前記逆方向の走査時とにおいて異なり、
前記偶数番目のノズルによって形成される前記主ドットと前記サテライトとの位置関係は、前記順方向の走査時と前記逆方向の走査時とにおいて異なる
ことを特徴とする請求項２に記載のインクジェット記録装置。
【請求項４】
前記制御部は、前記奇数番目のノズルによって形成される前記主ドットと前記サテライトとの位置関係と、前記偶数番目のノズルによって形成される前記主ドットと前記サテライトとの位置関係と、を近づけるように、前記走査方向に応じて前記奇数番目のノズルまたは前記偶数番目のノズルからインクを吐出させることを特徴とする請求項３に記載のインクジェット記録装置。
【請求項５】
前記主ドットと前記サテライトとの位置関係は、前記順方向または前記逆方向における前記主ドットと前記サテライトの間隔を含むことを特徴とする請求項３または４に記載のインクジェット記録装置。
【請求項６】
前記制御部は、前記記録媒体上の所定領域に対して前記記録ヘッドを奇数回走査させて記録を行うとき、前記順方向および前記逆方向の走査において前記奇数番目のノズルと前記偶数番目のノズルの両方からインクを吐出させることを特徴とする請求項１から５のいずれかに記載のインクジェット記録装置。
【請求項７】
前記制御部は、前記記録媒体上の所定領域に対するインクの吐出数が所定数を越えるとき、当該所定領域の前記順方向および前記逆方向の走査において前記奇数番目のノズルと前記偶数番目のノズルの両方からインクを吐出させることを特徴とする請求項１から６のいずれかに記載のインクジェット記録装置。
【請求項８】
前記奇数番目のノズルと前記偶数番目のノズルは、前記ノズルの配列方向に沿って交互に同一ピッチで配列されることを特徴とする請求項１から７のいずれかに記載のインクジェット記録装置。
【請求項９】
前記奇数番目のノズルと前記偶数番目のノズルは、奇数ノズル列上と偶数ノズル列上とに分けて配列されることを特徴とする請求項１から８のいずれかに記載のインクジェット記録装置。
【請求項１０】
前記奇数番目のノズルと前記偶数番目のノズルは、インクの吐出量が異なることを特徴とする請求項１から９のいずれかに記載のインクジェット記録装置。
【請求項１１】
インクを吐出可能な複数のノズルが配列されたノズル列を有する記録ヘッドを順方向と逆方向とに走査させて、画像を記録するインクジェット記録方法において、
前記順方向の走査において、前記ノズル列の一端から奇数番目のノズルと偶数番目のノズルの内の一方からインクを吐出させ、
前記逆方向の走査において、前記奇数番目のノズルと前記偶数番目のノズルの内の他方からインクを吐出させる
ことを特徴とするインクジェット記録方法。
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
支持体上に感光材料層を形成してなる長尺状感光性ウエブを、加熱された一対の圧着ローラ間に基板とともに送り出し、前記感光材料層を前記基板に貼り付けることで感光性積層体を製造する感光性積層体の製造装置において、
前記一対の圧着ローラの前段に配設され、前記基板を所定の加熱温度に調整して前記圧着ローラ間に供給する基板加熱部を備え、
前記基板加熱部は、
第１加熱手段を前記基板の全面に接触させ、前記基板を第１加熱温度まで加熱する第１加熱機構と、
前記第１加熱温度まで加熱された前記基板を、第２加熱手段により非接触状態で第２加熱温度に加熱保持し、搬送手段により前記圧着ローラ間に搬送する第２加熱機構と、
前記第１加熱機構から前記第２加熱機構に前記基板を供給する基板供給機構と、
を備えることを特徴とする感光性積層体の製造装置。
【請求項２】
請求項１記載の装置において、
前記第１加熱手段は、ホットプレートからなることを特徴とする感光性積層体の製造装置。
【請求項３】
請求項１記載の装置において、
前記第２加熱手段は、赤外線ヒータであることを特徴とする感光性積層体の製造装置。
【請求項４】
請求項１記載の装置において、
前記第１加熱温度は、前記第２加熱温度よりも高く設定されることを特徴とする感光性積層体の製造装置。
【請求項５】
請求項１記載の装置において、
前記第２加熱温度は、前記一対の圧着ローラの加熱温度近傍に設定されることを特徴とする感光性積層体の製造装置。
【請求項６】
支持体上に感光材料層を形成してなる長尺状感光性ウエブを、加熱された一対の圧着ローラ間に基板とともに送り出し、前記感光材料層を前記基板に貼り付けることで感光性積層体を製造する感光性積層体の製造方法において、
第１加熱手段を前記基板の全面に接触させ、前記基板を第１加熱温度まで加熱するステップと、
前記第１加熱温度まで加熱された前記基板を、第２加熱手段により非接触状態で第２加熱温度に加熱保持するステップと、
前記第２加熱温度に加熱保持された前記基板を前記圧着ローラ間に搬送するステップと、
を有することを特徴とする感光性積層体の製造方法。
【請求項７】
請求項６記載の方法において、
前記第１加熱温度は、前記第２加熱温度よりも高く設定されることを特徴とする感光性積層体の製造方法。
【請求項８】
請求項６記載の方法において、
前記第２加熱温度は、前記一対の圧着ローラの加熱温度近傍に設定されることを特徴とする感光性積層体の製造方法。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
液体を収容するための容器であり、第１のデバイスが設けられた液体容器が装着可能である液体噴射装置であって、
前記液体容器に関連する所定の処理を実行する処理実行部と、
前記第１のデバイスに電気的に接続されるべき第１の配線と、
前記処理実行部に電気的に接続される第２の配線と、
第１の場合に少なくとも前記第１の配線を介して前記第１のデバイスにアクセスし、第２の場合に前記第２の配線を介して前記処理実行部にアクセスして前記所定の処理を実行させる制御部と、
前記第２の場合に前記第１の配線を一定電位に電気的に接続する接続部と、
を備える液体噴射装置。
【請求項２】
請求項１に記載の液体噴射装置において、
前記接続部は、さらに、前記第２の場合に前記第１の配線の電位を一定電位にする第１のドライバを備える、液体噴射装置。
【請求項３】
請求項１または請求項２に記載の液体噴射装置において、
前記所定の処理に関連する電圧が前記第１の配線に誤って印加され得ることを検出する検出部を備え、
前記接続部は、さらに、前記検出部が前記誤印加され得ることを検出した場合に、前記第１の配線の電位を一定電位にする第２のドライバを備える、液体噴射装置。
【請求項４】
請求項１ないし請求項３のいずれかに記載の液体噴射装置において、
前記液体容器は、さらに、第２のデバイスを備え、
前記液体噴射装置は、さらに、前記制御部と前記第２のデバイスとを電気的に接続する第３の配線を備え、
前記所定の処理は、前記第３の配線を介して前記第２のデバイスに対して駆動電圧を印加することを含む、液体噴射装置。
【請求項５】
請求項３または請求項４に記載の液体噴射装置において、
前記所定の処理に関連する電圧または前記駆動電圧は、前記第１の配線上に現れる電位より大きい、液体噴射装置。
【請求項６】
請求項４に記載の液体噴射装置は、さらに、
前記液体容器の前記第１のデバイスを前記第１の配線に電気的に接続するための第１の端子と、
前記液体容器の前記第２のデバイスを前記第３の配線に電気的に接続するための第２の端子と、
を備え、
前記第１の端子と前記第２の端子は、互いに近接している、液体噴射装置。
【請求項７】
請求項１ないし請求項６のいずれかに記載の液体噴射装置において、
前記第１のデバイスは、記憶装置を含む、液体噴射装置。
【請求項８】
請求項４または請求項６に記載の液体噴射装置において、
前記第２のデバイスは、前記液体容器に含まれる液体の量を検出するためのセンサを含み、
前記所定の処理は、前記センサを用いて前記液体の量を判断するための処理を含む、液体噴射装置。
【請求項９】
液体を収容するための容器であり、第１のデバイスが設けられた液体容器が装着される液体噴射装置の制御方法であって、
前記液体容器に関連する所定の処理を実行する処理実行部と、前記第１のデバイスに電気的に接続されるべき第１の配線と、前記処理実行部に電気的に接続される第２の配線と、に対して、
第１の場合に少なくとも前記第１の配線を介して前記第１のデバイスにアクセスし、第２の場合に前記第２の配線を介して前記処理実行部にアクセスして前記所定の処理を実行し、
前記第２の場合に前記第１の配線を一定電位に電気的に接続する、
液体噴射装置の制御方法。
【手続補正２】
【補正対象書類名】明細書
【補正対象項目名】００１１
【補正方法】変更
【補正の内容】
【００１１】
適用例１に係る液体噴射装置において、前記液体容器は、さらに、第２のデバイスを備え、前記液体噴射装置は、さらに、前記制御部と前記第２のデバイスとを電気的に接続する第３の配線を備え、前記所定の処理は、前記第３の配線を介して前記第２のデバイスに対して駆動電圧を印加することを含んでも良い。こうすれば、第２のデバイスに対する駆動電圧が第１の配線に誤印加された場合においても、当該誤印加が液体噴射装置に及
ぼす影響を抑制することができる。
【手続補正３】
【補正対象書類名】明細書
【補正対象項目名】００５６
【補正方法】変更
【補正の内容】
【００５６】
図９（Ａ）は、データ列群のうち、第２のデータ信号線ＬＤ２に１回目に現れるデータ列を示している。図示するように、データ列は、ＩＤ部（識別部）と、Ｗ／Ｒ部（切替コマンド部）と、内部アドレス部と、コマンド／データ部と、を含んでいる。ＩＤ部とＷ／Ｒ部と内部アドレス部とは、主制御部４０から出力されるデータ要素であり、コマンド／データ部は、主制御部４０またはサブ制御部５０から出力されるデータ要素である。
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
本体シミュレータと、複数のアクセサリシミュレータとがネットワークで接続された仮想的な画像形成システムにおいて紙搬送シミュレーションを行うことができる設計支援装置の設計支援プログラムであって、
前記設計支援プログラムは、
前記複数のアクセサリシミュレータのうちの第一のアクセサリシミュレータが第二のアクセサリシミュレータと通信する場合において、
前記第一のアクセサリシミュレータから前記第二のアクセサリシミュレータに送信する情報を前記本体シミュレータに対して送信するためのモジュールを有し、
前記第一及び前記第二のアクセサリシミュレータの前記ネットワーク上での位置情報を元に、前記第一のアクセサリシミュレータから受信した情報を前記本体シミュレータから前記第二のアクセサリシミュレータに送信するためのモジュールを有することを特徴とする設計支援プログラム。
【請求項２】
ホストコンピュータと、本体シミュレータと、複数のアクセサリシミュレータとがネットワークで接続された仮想的な画像形成システムにおいて紙搬送シミュレーションを行うことができる設計支援装置の設計支援プログラムであって、
前記設計支援プログラムは、
前記複数のアクセサリシミュレータのうちの第一のアクセサリシミュレータが第二のアクセサリシミュレータと通信する場合において、
前記第一のアクセサリシミュレータから前記第二のアクセサリシミュレータに送信する情報を前記ホストコンピュータに対して送信するためのモジュールを有し、
前記第一及び前記第二のアクセサリシミュレータの前記ネットワーク上での位置情報を元に、前記第一のアクセサリシミュレータから受信した情報を前記ホストコンピュータから前記第二のアクセサリシミュレータに送信するためのモジュールを有することを特徴とする設計支援プログラム。
【請求項３】
前記複数のアクセサリシミュレータは、フィニッシャ機能を有するシミュレータ、製本機能を有するシミュレータ、スタッカ機能を有するシミュレータ、及び給紙デッキ機能を有するシュレータを含むことを特徴とする請求項１又は２記載の設計支援プログラム。
【請求項４】
請求項１乃至３のいずれか１項の記載の設計支援プログラムを実行し、仮想的な画像形成システムにおける紙搬送シミュレーションを行うことを特徴とする設計支援装置。
【手続補正２】
【補正対象書類名】明細書
【補正対象項目名】発明の名称
【補正方法】変更
【補正の内容】
【発明の名称】設計支援プログラム及び設計支援装置
【手続補正３】
【補正対象書類名】明細書
【補正対象項目名】０００１
【補正方法】変更
【補正の内容】
【０００１】
本発明は、機構制御設計を支援するための設計支援プログラム及び設計支援装置に関するものである。より詳細には、シート状の搬送体を搬送する搬送機構を制御するための技術に関するものである。
【手続補正４】
【補正対象書類名】明細書
【補正対象項目名】００３０
【補正方法】変更
【補正の内容】
【００３０】
本発明の目的は、シミュレータで構成される仮想的な画像形成システムにおいてシミュレータ間のコマンドのやり取りの制御を簡単にし、柔軟性が高い紙搬送シミュレーションを行うことができる設計支援プログラム及び設計支援装置を提供することにある。
【手続補正５】
【補正対象書類名】明細書
【補正対象項目名】００３１
【補正方法】変更
【補正の内容】
【００３１】
上記目的を達成するために、請求項１記載の設計支援プログラムは、本体シミュレータと、複数のアクセサリシミュレータとがネットワークで接続された仮想的な画像形成システムにおいて紙搬送シミュレーションを行うことができる設計支援装置の設計支援プログラムであって、前記設計支援プログラムは、前記複数のアクセサリシミュレータのうちの第一のアクセサリシミュレータが第二のアクセサリシミュレータと通信する場合において、前記第一のアクセサリシミュレータから前記第二のアクセサリシミュレータに送信する情報を前記本体シミュレータに対して送信するためのモジュールを有し、前記第一及び前記第二のアクセサリシミュレータの前記ネットワーク上での位置情報を元に、前記第一のアクセサリシミュレータから受信した情報を前記本体シミュレータから前記第二のアクセサリシミュレータに送信するためのモジュールを有することを特徴とする。
【手続補正６】
【補正対象書類名】明細書
【補正対象項目名】００３２
【補正方法】変更
【補正の内容】
【００３２】
請求項２記載の設計支援プログラムは、ホストコンピュータと、本体シミュレータと、複数のアクセサリシミュレータとがネットワークで接続された仮想的な画像形成システムにおいて紙搬送シミュレーションを行うことができる設計支援装置の設計支援プログラムであって、前記設計支援プログラムは、前記複数のアクセサリシミュレータのうちの第一のアクセサリシミュレータが第二のアクセサリシミュレータと通信する場合において、前記第一のアクセサリシミュレータから前記第二のアクセサリシミュレータに送信する情報を前記ホストコンピュータに対して送信するためのモジュールを有し、前記第一及び前記第二のアクセサリシミュレータの前記ネットワーク上での位置情報を元に、前記第一のアクセサリシミュレータから受信した情報を前記ホストコンピュータから前記第二のアクセサリシミュレータに送信するためのモジュールを有することを特徴とする。
【手続補正７】
【補正対象書類名】明細書
【補正対象項目名】００３３
【補正方法】変更
【補正の内容】
【００３３】
本発明によれば、シミュレータで構成される仮想的な画像形成システムにおいてシミュレータ間のコマンドのやり取りの制御を簡単にし、柔軟性が高い紙搬送シミュレーションを行うことができる。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
給紙部と排紙部とに連続した搬送路と、
前記搬送路に沿って用紙を搬送する搬送手段と、
前記搬送路上を搬送される前記用紙に液を吐出する複数の液吐出手段と、
前記複数の液吐出手段と前記排紙部との間の位置に設けられるとともに、前記液が吐出された前記用紙の光沢度を測定する測定手段と、
前記液が吐出された直後の前記用紙の光沢度と、前記測定手段で測定された光沢度とを比較して前記液の乾燥時間を算出し、前記複数の液吐出手段から前記排紙部までの前記用紙の搬送時間が前記乾燥時間と等しくなるように前記搬送手段の搬送速度を制御する制御手段と、
を具備することを特徴とする画像形成装置。
【請求項２】
前記測定手段を前記用紙が搬送される搬送方向と直交する前記搬送路の幅方向に移動させる移動手段を具備し、
前記測定手段は、前記用紙上の記録密度の高い領域で光沢度を測定することを特徴とする請求項１に記載の画像形成装置。
【請求項３】
前記複数の液吐出手段は、前記用紙が搬送される搬送方向に沿って並んで配置されており、
前記測定手段は、前記搬送方向の最も下流位置に配置される前記液吐出手段により形成された画像のうち、記録密度の高い領域で光沢度を測定することを特徴とする請求項２に記載の画像形成装置。
【請求項４】
前記液が吐出された直後の前記用紙の光沢度は、予め用紙の種類ごとに測定されており、
前記制御手段は、予め測定された、前記液が吐出された直後の前記用紙の光沢度を記憶していることを特徴とする請求項３に記載の画像形成装置。
【請求項５】
前記制御手段は、前記用紙上のインクが乾燥する時間を予測することを特徴とする請求項４に記載の画像形成装置。
【請求項６】
前記制御手段は、前記用紙に形成する画像情報から記録密度の情報を予め取得して、前記記録密度が高い領域を認識することを特徴とする請求項２に記載の画像形成装置。
【請求項７】
前記液が吐出された直後の前記用紙の光沢度は、予め用紙の種類ごとに測定されており、
前記制御手段は、予め測定された、前記液が吐出された直後の前記用紙の光沢度を記憶していることを特徴とする請求項６に記載の画像形成装置。
【請求項８】
前記制御手段は、前記用紙上のインクが乾燥する時間を予測することを特徴とする請求項７に記載の画像形成装置。
【請求項９】
複数の液吐出手段により用紙上に液を吐出し、液が吐出された用紙を排紙部に向けて送り、送られる前記用紙の光沢度を測定するとともに、前記光沢度と液が吐出された直後の用紙の光沢度とを比較して前記液の乾燥時間を算出し、前記液吐出手段から前記排紙部までの前記用紙の搬送時間が前記乾燥時間と等しくなるように制御することを特徴とする印刷制御方法。
【請求項１０】
前記用紙の記録密度の高い領域で光沢度を測定することを特徴とする請求項９に記載の印刷制御方法。
【請求項１１】
前記複数の液吐出手段のうち、前記用紙が搬送される搬送方向の最も下流に配置された液吐出手段により形成された画像のうち、記録密度の高い領域で光沢度を測定することを特徴とする請求項１０に記載の印刷制御方法。
【請求項１２】
前記用紙に形成する画像情報から記録密度の情報を予め取得して、前記記録密度が高い領域を認識することを特徴とする請求項１０に記載の印刷制御方法。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
用紙を送り方向に送るための送り機構と、
前記送り機構で送られる用紙に向けて液滴を吐出するインクジェットヘッドと、
前記用紙に着弾した液滴を乾燥させる乾燥部と、
前記用紙の用紙情報および前記用紙に記録される記録情報のいずれかに基づいて、前記乾燥部の温度を制御する制御機構と、
を具備することを特徴とするインクジェット記録装置。
【請求項２】
前記制御機構は、
前記記録情報から前記用紙に記録されるものが文字か画像かを判別する判別部と、
前記記録情報が画像を含む場合に前記乾燥部の温度を第１の温度にし、前記記録情報が文字のみを含む場合に前記乾燥部の温度を前記第１の温度よりも低い第２の温度にする駆動部と、
を有することを特徴とする請求項１に記載のインクジェット記録装置。
【請求項３】
前記判別部は、前記用紙に対応する印刷領域を前記送り方向に並ぶ複数のブロックとして分割するとともに、前記ブロック毎に前記用紙に記録されるものが文字か画像かを判別し、
前記駆動部は、前記ブロック内で前記用紙に記録されるものが画像を含むと判別された場合に、当該ブロックが前記乾燥部の近傍を通過する際に前記乾燥部の温度を前記第１の温度にし、前記ブロック内で前記用紙に記録されるものが文字のみを含むと判別された場合に、当該ブロックが前記乾燥部の近傍を通過する際に前記乾燥部の温度を前記第２の温度にすることを特徴とする請求項２に記載のインクジェット記録装置。
【請求項４】
前記制御機構は、
前記用紙の厚さが所定のしきい値を上回る否かを判別する判別部と、
前記用紙の厚さが前記しきい値を上回ると判別されたときに前記乾燥部の温度を第１の温度にし、前記用紙の厚さが前記しきい値を下回ると判別されたときに前記乾燥部の温度を前記第１の温度よりも低い第２の温度にする駆動部と、
を有することを特徴とする請求項１に記載のインクジェット記録装置。
【請求項５】
前記制御機構は、
前記用紙の重さが所定のしきい値を上回る否かを判別する判別部と、
前記用紙の重さが前記しきい値を上回ると判別されたときに前記乾燥部の温度を第１の温度にし、前記用紙の重さが前記しきい値を下回ると判別されたときに前記乾燥部の温度を前記第１の温度よりも低い第２の温度にする駆動部と、
を有することを特徴とする請求項１に記載のインクジェット記録装置。
【請求項６】
用紙に液滴を吐出するインクジェットヘッドと、
前記用紙を周囲に吸着した状態で前記インクジェットヘッドから前記液滴の吐出を受けるとともに、前記液滴の吐出の完了後に前記用紙を吸着した状態のまま空回りする円筒形のドラムと、
前記ドラムに吸着された前記用紙に熱を加える乾燥部と、
前記用紙の用紙情報に基づいて、前記ドラムの空回りの回数を制御する制御機構と、
を具備することを特徴とするインクジェット記録装置。
【請求項７】
前記制御機構は、
前記用紙の厚さが所定のしきい値を上回る否かを判別する判別部と、
前記用紙の厚さが前記しきい値を上回ると判別されたときに前記ドラムを所定回数空回りさせ、前記用紙の厚さが前記しきい値を下回ると判別されたときに前記ドラムの空回りを省略するドラム駆動部と、
を有することを特徴とする請求項６に記載のインクジェット記録装置。
【請求項８】
前記制御機構は、
前記用紙の重さが所定のしきい値を上回る否かを判別する判別部と、
前記用紙の重さが前記しきい値を上回ると判別されたときに前記ドラムを所定回数空回りさせ、前記用紙の重さが前記しきい値を下回ると判別されたときに前記ドラムの空回りを省略するドラム駆動部と、
を有することを特徴とする請求項６に記載のインクジェット記録装置。
【請求項９】
用紙に液滴を吐出するインクジェットヘッドと、
前記用紙を周囲に吸着した状態で前記インクジェットヘッドから前記液滴の吐出を受けるとともに、前記液滴の吐出の完了後に前記用紙を吸着した状態のまま空回りする円筒形のドラムと、
前記ドラムに吸着された前記用紙に熱を加える乾燥部と、
前記用紙に記録される記録情報に基づいて、前記ドラムの空回りの回数を制御する制御機構と、
を具備することを特徴とするインクジェット記録装置。
【請求項１０】
前記制御機構は、
前記記録情報から前記用紙に記録されるものが文字か画像かを判別する判別部と、
前記記録情報が画像を含む場合に前記ドラムを所定回数空回りさせ、前記記録情報が文字のみを含む場合に前記ドラムの空回りを省略するドラム駆動部と、
を有することを特徴とする請求項９に記載のインクジェット記録装置。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
搬送路と、
前記搬送路上で用紙を送り方向に送るための送り手段と、
前記用紙に対して液滴を着弾させる液吐出手段と、
前記用紙を前記搬送路に向けて吸引する吸引手段と、
前記用紙の用紙情報および前記用紙に形成される画像情報のいずれかに基づいて、前記液滴が着弾された前記用紙に発生する波うちの程度を予測し、前記波うちの程度に応じて前記吸引手段の吸引力を制御する制御手段と、
を具備することを特徴とするインクジェット記録装置。
【請求項２】
前記制御手段は、
前記用紙に着弾される液滴の分布密度から印字率を算出するとともに、前記印字率が所定のしきい値を上回るか否かを判別する印字率算出手段と、
前記印字率が所定のしきい値を上回ると判別されたときに前記吸引手段の吸引力を第１の吸引力とするとともに、前記印字率が前記しきい値を下回ると判別されたときに前記吸引手段の吸引力を前記第１の吸引力よりも小さい第２の吸引力にする駆動手段と、
を有することを特徴とする請求項１に記載のインクジェット記録装置。
【請求項３】
前記制御手段は、
前記液滴によって前記用紙上に形成されるものが文字か、画像かを判別する判別手段と、
前記用紙上に形成されるものが文字であると判別されたときに前記吸引手段の吸引力を第２の吸引力にするとともに、前記用紙上に形成されるものが画像であると判別されたときに前記吸引手段の吸引力を前記第２の吸引力よりも大きい第１の吸引力にする駆動手段と、
を有することを特徴とする請求項１に記載のインクジェット記録装置。
【請求項４】
前記制御手段は、
前記用紙の厚さが所定のしきい値を上回る否かを判別する判別手段と、
前記用紙の厚さが前記しきい値を上回ると判別されたときに前記吸引手段の吸引力を第１の吸引力にするとともに、前記用紙の厚さが前記しきい値を下回ると判別されたときに前記吸引手段の吸引力を前記第１の吸引力よりも小さい第２の吸引力にする駆動手段と、
を有することを特徴とする請求項１に記載のインクジェット記録装置。
【請求項５】
前記制御手段は、
前記用紙の重さが所定のしきい値を上回る否かを判別する判別手段と、
前記用紙の重さが前記しきい値を上回ると判別されたときに前記吸引手段の吸引力を第１の吸引力にするとともに、前記用紙の重さが前記しきい値を下回ると判別されたときに前記吸引手段の吸引力を前記第１の吸引力よりも小さい第２の吸引力にする駆動手段と、
を有することを特徴とする請求項１に記載のインクジェット記録装置。
【請求項６】
用紙の用紙情報および用紙に形成される画像情報のいずれかに基づいて、液滴が着弾された前記用紙に発生する波うちの程度を予測し、前記波うちの大小に応じて、異なる吸引力を用紙に作用させることで前記用紙を搬送路に向けて吸引させ、インクジェットヘッドから前記用紙に液滴を着弾させることを特徴とする画像形成方法。
【請求項７】
前記用紙に着弾される液滴の分布密度から印字率を算出するとともに、前記印字率が所定のしきい値を上回るか否かを判別した後、前記印字率が所定のしきい値を上回るときに吸引力を第１の吸引力にするとともに、前記印字率が前記しきい値を下回るときに吸引力を前記第１の吸引力よりも小さい第２の吸引力にすることを特徴とする請求項６に記載の画像形成方法。
【請求項８】
前記液滴によって前記用紙上に形成されるものが文字か、画像かを判別した後、前記用紙上に形成されるものが文字であると判別されたときに吸引力を第２の吸引力にするとともに、前記用紙上に形成されるものが画像であると判別されたときに吸引力を前記第２の吸引力よりも大きい第１の吸引力にすることを特徴とする請求項６に記載の画像形成方法。
【請求項９】
前記用紙の厚さが所定のしきい値を上回る否かを判別した後、前記用紙の厚さが所定のしきい値を上回ると判別されたときに吸引力を第１の吸引力にするとともに、前記用紙の厚さが所定のしきい値を下回ると判別されたときに吸引力を前記第１の吸引力よりも小さい第２の吸引力にすることを特徴とする請求項６に記載の画像形成方法。
【請求項１０】
前記用紙の重さが所定のしきい値を上回る否かを判別した後、前記用紙の重さが所定のしきい値を上回ると判別されたときに吸引力を第１の吸引力にするとともに、前記用紙の重さが所定のしきい値を下回ると判別されたときに吸引力を前記第１の吸引力よりも小さい第２の吸引力にすることを特徴とする請求項６に記載の画像形成方法。
【手続補正２】
【補正対象書類名】明細書
【補正対象項目名】発明の名称
【補正方法】変更
【補正の内容】
【発明の名称】インクジェット記録装置、画像形成方法
【手続補正書】
【提出日】平成21年11月27日(2009.11.27)
【手続補正１】
【補正対象書類名】特許請求の範囲
【補正対象項目名】請求項７
【補正方法】変更
【補正の内容】
【請求項７】
電動機と、
該電動機を収容するハウジングと、
一端が該ハウジングに接続され、他端が外部の電源に接続される電源コードと、を有する電動工具において、
該ハウジングに、変形可能で且つ変形した状態を保つことができるガイドチューブを設け、
該ガイドチューブの中に該電源コードを通したことを特徴とする電動工具。
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
原紙の両面に少なくとも１層の樹脂層を有する樹脂被覆紙の片側にインクを受容するインク受容層を有し、前記樹脂被覆紙の前記インク受容層を有しない側の少なくとも一部に、前記樹脂被覆紙のいずれか一辺と平行もしくは略平行に形成された筋状の凹凸形状を有しており、前記筋状の凹凸形状が該凹凸形状の筋方向と直交もしくは略直交する方向に所定の周期で形成されているインクジェット記録媒体。
【請求項２】
前記筋状の凹凸形状の筋方向と直交する方向における断面は、矩形状、波形状、又は三角形状に構成されていることを特徴とする請求項１に記載のインクジェット記録媒体。
【請求項３】
前記筋状の凹凸形状は、記録時に搬送される搬送方向と直交する方向と平行もしくは略平行に形成されていることを特徴とする請求項１又は請求項２に記載のインクジェット記録媒体。
【手続補正２】
【補正対象書類名】明細書
【補正対象項目名】０００９
【補正方法】変更
【補正の内容】
【０００９】
前記課題を達成するための具体的手段は以下の通りである。
＜１＞  原紙の両面に少なくとも１層の樹脂層を有する樹脂被覆紙の片側にインクを受容するインク受容層を有し、前記樹脂被覆紙の前記インク受容層を有しない側の少なくとも一部に、前記樹脂被覆紙のいずれか一辺と平行もしくは略平行に形成された筋状の凹凸形状を有しており、前記筋状の凹凸形状が該凹凸形状の筋方向と直交もしくは略直交する方向に所定の周期で形成されているインクジェット記録媒体である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
＜２＞  前記筋状の凹凸形状の筋方向と直交する方向における断面は、矩形状、波形状、又は三角形状に構成されていることを特徴とする前記＜１＞に記載のインクジェット記録媒体である。
【手続補正５】
【補正対象書類名】明細書
【補正対象項目名】００１２
【補正方法】変更
【補正の内容】
【００１２】
＜３＞  前記筋状の凹凸形状は、記録時に搬送される搬送方向と直交する方向と平行もしくは略平行に形成されていることを特徴とする前記＜１＞又は前記＜２＞に記載のインクジェット記録媒体である。
【手続補正書】
【提出日】平成22年4月28日(2010.4.28)
【手続補正１】
【補正対象書類名】明細書
【補正対象項目名】０００４
【補正方法】変更
【補正の内容】
【０００４】
多機能入力スイッチの形態としては、回転ダイヤルではなく、単に十字スイッチ又は８方向スイッチ等で項目等を選択し、センターに位置した確定スイッチで、選択した内容を確定する多機能入力スイッチ等も存在する。
特許文献２には、表示パネルの左手で把持される部分の近傍に、頻繁に操作される枠移動操作部材およびダイヤル式操作部材が設けられたカメラが提案されている。特許文献３には、表示画面に表示された情報の内から、入力すべき情報を回転操作により選択し、クリックすることにより確定するジョグダイアル機構を備えた携帯情報処理装置が提案されている。特許文献４には、回転操作可能なダイヤル部を傾倒させることにより、複数のスイッチのうち所望スイッチに対応する押圧部を移動させる構成が提案されている。
【特許文献１】特開２００１−５２３８９号公報
【特許文献２】特開２０００−１３８８５２号公報
【特許文献３】特開２００２−３１２１０１号公報
【特許文献４】特開２００２−３７３０５０号公報
【手続補正書】
【提出日】平成21年10月15日(2009.10.15)
【手続補正１】
【補正対象書類名】特許請求の範囲
【補正対象項目名】請求項１
【補正方法】変更
【補正の内容】
【請求項１】
左右一対のカップ部を備えるカップ付き女性用衣類であって、
前記左右一対のカップ部は、
前記カップ部の下縁部に設けられたカップワイヤ部と、
前記カップ部内面のバストトップに対応するバストトップ領域と前記カップワイヤ部との間に、前記バストトップ領域に近接する端部が遊端をなすように縫着された保形布と、
前記保形布を挟んで前記カップ部に面し、前記保形布の遊端を含む領域と当接するように前中心近傍の前記カップワイヤ部に支持された片持ち押圧片とをそれぞれ有することを特徴とするカップ付き女性用衣類。
【手続補正２】
【補正対象書類名】明細書
【補正対象項目名】０００６
【補正方法】変更
【補正の内容】
【０００６】
本発明に係るカップ付き女性用衣類は、左右一対のカップ部を備えるカップ付き女性用衣類であって、左右一対のカップ部は、カップワイヤ部と、保形布と、片持ち押圧片とをそれぞれ有することを特徴とする。カップワイヤ部は、カップ部の下縁部に設けられている。保形布は、カップ部内面のバストトップに対応するバストトップ領域とカップワイヤ部との間に、バストトップ領域に近接する端部が遊端をなすように縫着されている。片持ち押圧片は、保形布を挟んでカップ部に面し、保形布の遊端を含む領域と当接するように前中心近傍のカップワイヤ部に支持されている。ここで、カップ部内面とは、肌側の面である。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
セパレータボルトの先端部を曲げ折って折り取る工具であって、管状の本体の先端にセパレータボルトの先端部を挿入する筒状の折り取り部を備えると共に、後端には折り取ったセパレータボルトの先端部を収容して蓄積する容器を備え、折り取り部には折り取ったセパレータボルトの先端部を折り取り部の内部に仮固定する保持機構を備えたものであるセパレータボルト先端部折り取り工具。
【請求項２】
保持機構は、筒状の折り取り部の内面に突出したブラシを備えたものである請求項１に記載のセパレータボルト先端部折り取り工具。
【請求項３】
保持機構は、筒状の折り取り部の内面に磁石を備えたものである請求項１に記載のセパレータボルト先端部折り取り工具。
【請求項４】
保持機構は、筒状の折り取り部の内面に突出した板バネを備えたものである請求項１に記載のセパレータボルト先端部折り取り工具。
【請求項５】
後端には更に、プラスチックコーンを取り外すためのソケットレンチを備えたものである請求項１乃至請求項４のいずれかに記載のセパレータボルト先端部折り取り工具。
【請求項６】
本体には更に、防錆塗料を噴射するスプレー缶を保持するスプレー缶保持具を備えたものである請求項１乃至請求項５のいずれかに記載のセパレータボルト先端部折り取り工具。
【手続補正２】
【補正対象書類名】明細書
【補正対象項目名】０００８
【補正方法】変更
【補正の内容】
【０００８】  上記のような課題を解決するために、請求項１に係る本発明のセパレータボルト先端部折り取り工具は、管状の本体の先端にセパレータボルトの先端部を挿入する筒状の折り取り部を備えると共に、後端には折り取ったセパレータボルトの先端部を収容して蓄積する容器を備え、折り取り部には折り取ったセパレータボルトの先端部を折り取り部の内部に仮固定する保持機構を備えたものである。
請求項２に係る本発明のセパレータボルト先端部折り取り工具は、保持機構として筒状の折り取り部の内面に突出したブラシを備えたものである。
請求項３に係る本発明のセパレータボルト先端部折り取り工具は、保持機構として筒状の折り取り部の内面に磁石を備えたものである。
請求項４に係る本発明のセパレータボルト先端部折り取り工具は、保持機構として筒状の折り取り部の内面に突出した板バネを備えたものである。
請求項５に係る本発明のセパレータボルト先端部折り取り工具は、後端には更にプラスチックコーンを取り外すためのソケットレンチを備えたものである。
請求項６に係る本発明のセパレータボルト先端部折り取り工具は、本体には更に防錆塗料を噴射するスプレー缶を保持するスプレー缶保持具を備えたものである。